(57)【要約】【課題】  耐震性の高い建造物を提供する。【解決手段】    柱と水平Ｘ、Ｙ軸方向に延びる梁３，４の結合部は、第１、第２、第３の多重摩擦板装置１０，２０，３０を備えている。第１多重摩擦板装置１０は柱の上端と梁３とをＸ軸を中心に相対回動可能に半剛結合するものであり、柱側に連結された複数の摩擦板と、梁３側に連結された他の複数の摩擦板と、これら摩擦板を交互に重ね合わせた状態でＸ軸方向に貫通するピン１６と、これら摩擦板との間に摩擦が発生するようにこれら摩擦板を両側から締め付けるナット１７（締め付け手段）とを有している。第２多重摩擦板装置２０は柱の上端と梁４とをＹ軸を中心に相対回動可能に半剛結合するものであり、Ｙ軸方向に延びるピン２６を有している。第３多重摩擦板装置３０は柱１の上端と梁３，４とを垂直軸を中心に相対回動可能に半剛結合するものであり、垂直軸方向に延びるピン３６を有している。さらに、柱１と梁３，４との間にはワイヤが斜めに掛け渡されている。【選択図】  図５
2010222871.tif 000002
【特許請求の範囲】
【請求項１】
垂直をなす多数の柱と、互いに直交する水平Ｘ、Ｙ軸方向に延びる多数の梁と備え、これら柱、梁からなる構成材を結合することにより構築される建造物において、
各結合部は、第１、第２の少なくとも２種の多重摩擦板装置を備え、
上記第１多重摩擦板装置は、結合すべき一方の構成材側に連結された複数の摩擦板と、他方の構成材側に連結された他の複数の摩擦板と、これら摩擦板を交互に重ね合わせた状態でＸ軸方向に貫通するピンと、これら摩擦板との間に摩擦が発生するようにこれら摩擦板を両側から締め付ける締め付け手段とを有し、
上記第２多重摩擦板装置は、結合すべき一方の構成材側に連結された複数の摩擦板と、他方の構成材側に連結された他の複数の摩擦板と、これら摩擦板を交互に重ね合わせた状態でＹ軸方向に貫通するピンと、これら摩擦板との間に摩擦が発生するようにこれら摩擦板を両側から締め付ける締め付け手段とを有し、
上記柱の上端と上記Ｙ軸方向に延びる梁の端とが上記第１多重摩擦板装置を介して結合されるとともに、これら柱とＹ軸方向に延びる梁との間にワイヤが斜めに掛け渡され、
上記柱の上端と上記Ｘ軸方向に延びる梁の端とが上記第２多重摩擦板装置を介して結合されるとともに、これら柱とＸ軸方向に延びる梁との間にワイヤが斜めに掛け渡されていることを特徴とする耐震建造物。
【請求項２】
上記柱の上端と上記Ｙ軸方向に延びる梁の端との間には、上記第１多重摩擦板装置の他に第３多重摩擦板装置が介在され、上記柱の上端と上記Ｘ軸方向に延びる梁の端との間にも、上記第２多重摩擦板装置の他に第３多重摩擦板装置が介在され、上記Ｘ軸方向に延びる梁とＹ軸方向に延びる梁との間にワイヤが斜めに掛け渡され、
上記第３多重摩擦板装置は、柱側に連結される複数の摩擦板と、梁側に連結される他の複数の摩擦板と、これら摩擦板を交互に重ね合わせた状態で垂直方向に貫通するピンと、これら摩擦板との間に摩擦が発生するようにこれら摩擦板を両側から締め付ける締め付け手段とを有することを特徴とする請求項１に記載の耐震建造物。
【請求項３】
建造物が複数階をなし、上階の柱の下端が、上記第１、第２の多重摩擦板装置を介して下階の柱の上端に結合されることを特徴とする請求項１または２に記載の耐震建造物。
【請求項４】
上記柱と上記Ｘ軸およびＹ軸方向に延びる梁の延長線の交差点に、上記第１多重摩擦板装置が配置され、上記第１多重摩擦板装置と上記Ｙ軸方向に延びる梁の端との間に上記第３多重摩擦板装置が配置され、上記第１多重摩擦板装置と上記Ｘ軸方向に延びる梁の端との間に上記第２多重摩擦板装置および第３多重摩擦板装置が配置されていることを特徴とする請求項２に記載の耐震建造物。
【請求項５】
上記柱と上記Ｘ軸およびＹ軸方向に延びる梁の延長線の交差点に、柱の上端部となる支持部が配置されており、この支持部と上記Ｙ軸方向に延びる梁の端との間に上記第１多重摩擦板装置および第３多重摩擦板装置が介在され、上記支持部と上記Ｘ軸方向に延びる梁の端との間に上記第２多重摩擦板装置および第３多重摩擦板装置が介在されていることを特徴とする請求項２に記載の耐震建造物。
【発明の詳細な説明】
【技術分野】
【０００１】
本発明は、特殊な耐震構造を備えた建造物に関する。
【背景技術】
【０００２】
特許文献１に示すように、一般の鉄骨の建造物では、柱と梁が剛結合されたラーメン構造をなしている。
【先行技術文献】
【特許文献】
【０００３】
【特許文献１】特開昭６３−８３３４１号公報
【発明の概要】
【発明が解決しようとする課題】
【０００４】
上記ラーメン構造の建造物では、地震により地面から強い横方向の力を受けた時に、柱と梁の結合部が変形せずに、柱および梁に大きな曲げ荷重が働く。そのため、この大きな曲げ荷重に耐え得るように柱、梁の断面積を大きくしなければならず、コスト高になっていた。
【課題を解決するための手段】
【０００５】
本発明は、上記課題を解決するため、垂直をなす多数の柱と、互いに直交するＸ、Ｙ軸の水平２軸方向に延びる多数の梁と備え、これら柱、梁からなる構成材を結合することにより構築される建造物において、各結合部は、第１、第２の少なくとも２種の多重摩擦板装置を備え、上記第１多重摩擦板装置は、結合すべき一方の構成材側に連結された複数の摩擦板と、他方の構成材側に連結された他の複数の摩擦板と、これら摩擦板を交互に重ね合わせた状態でＸ軸方向に貫通するピンと、これら摩擦板との間に摩擦が発生するようにこれら摩擦板を両側から締め付ける締め付け手段とを有し、上記第２多重摩擦板装置は、結合すべき一方の構成材側に連結された複数の摩擦板と、他方の構成材側に連結された他の複数の摩擦板と、これら摩擦板を交互に重ね合わせた状態でＹ軸方向に貫通するピンと、これら摩擦板との間に摩擦が発生するようにこれら摩擦板を両側から締め付ける締め付け手段とを有し、上記柱の上端と上記Ｙ軸方向に延びる梁の端とが上記第１多重摩擦板装置を介して結合されるとともに、これら柱とＹ軸方向に延びる梁との間にワイヤが斜めに掛け渡され、上記柱の上端と上記Ｘ軸方向に延びる梁の端とが上記第２多重摩擦板装置を介して結合されるとともに、これら柱とＸ軸方向に延びる梁との間にワイヤが斜めに掛け渡されていることを特徴とする。
【０００６】
上記構成によれば、平常時には、結合部における多重摩擦板装置の摩擦板同士の摩擦により、剛結合と同様に建造物を維持できる。地震により建造物が横揺れした時には結合部も水平方向に変位するが、多重摩擦板装置に付与されるトルクが閾レベルを超えると摩擦板同士がピンを中心に相対回動し、ひいては柱と各梁とがこれら柱と梁を含む垂直平面上において相対回動する。その結果、柱や梁に大きな曲げ荷重が付与されるのを回避できる。また、地震による建造物の横揺れの運動エネルギーは、摩擦板間の摩擦熱に変換することにより吸収、緩和することができる。この際、ワイヤは弾性的に伸び、柱と梁との角度の広がりを許容しつつ抑制する。
【０００７】
好ましくは、上記柱の上端と上記Ｙ軸方向に延びる梁の端との間には、上記第１多重摩擦板装置の他に第３多重摩擦板装置が介在され、上記柱の上端と上記Ｘ軸方向に延びる梁の端との間にも、上記第２多重摩擦板装置の他に第３多重摩擦板装置が介在され、上記Ｘ軸方向に延びる梁とＹ軸方向に延びる梁との間にワイヤが斜めに掛け渡され、上記第３多重摩擦板装置は、柱側に連結される複数の摩擦板と、梁側に連結される他の複数の摩擦板と、これら摩擦板を交互に重ね合わせた状態で垂直方向に貫通するピンと、これら摩擦板との間に摩擦が発生するようにこれら摩擦板を両側から締め付ける締め付け手段とを有する。
この構成によれば、第３多重摩擦板装置を装備したことにより、Ｘ，Ｙ軸の梁は、地震の際に柱１の上端に対して相対的に水平回動が可能となり、梁を水平面上で曲げるような大きな曲げ荷重が作用するのを回避できるとともに、地震のエネルギーを吸収、緩和することができる。
【０００８】
建造物が複数階をなす場合には、上階の柱の下端が、上記第１、第２の多重摩擦板装置を介して下階の柱の上端に結合される。
この構成によれば、地震の際には上下階の柱は実質的にピン結合となり、上階の柱の揺れを抑制することができるとともに、多重摩擦板装置の摩擦板同士の摩擦により地震の際のエネルギーを吸収、緩和することができる。
【０００９】
一態様では、上記柱と上記Ｘ軸およびＹ軸方向に延びる梁の延長線の交差点に、上記第１多重摩擦板装置が配置され、上記第１多重摩擦板装置と上記Ｙ軸方向に延びる梁の端との間に上記第３多重摩擦板装置が配置され、上記第１多重摩擦板装置と上記Ｘ軸方向に延びる梁の端との間に上記第２多重摩擦板装置および第３多重摩擦板装置が配置されている。
【００１０】
他の態様では、上記柱と上記Ｘ軸およびＹ軸方向に延びる梁の延長線の交差点に、柱の上端部となる支持部が配置されており、この支持部と上記Ｙ軸方向に延びる梁の端との間に上記第１多重摩擦板装置および第３多重摩擦板装置が介在され、上記支持部と上記Ｘ軸方向に延びる梁の端との間に上記第２多重摩擦板装置および第３多重摩擦板装置が介在されている。
【発明の効果】
【００１１】
本発明の耐震建造物では、構成材の断面積を増大させずに耐震構造とすることができる。
【図面の簡単な説明】
【００１２】
【図１】本発明の第１実施例に係わる２階建て耐震駐車場の骨組を示す概略平面図である。
【図２】（Ａ）は図１のＡ−Ａ線に沿う同駐車場骨組の概略断面図であり、（Ｂ）は図１においてＢ方向から見た駐車場骨組の概略正面図である。
【図３】同駐車場骨組を図１においてＣ方向から見た概略側面図である。
【図４】同駐車場骨組の内部に位置する結合部であって、上下２本の柱と水平Ｘ軸方向に延びる２本の梁と水平Ｙ軸方向に延びる２本の梁の結合部の構造を、一部断面にして示す拡大正面図である。
【図５】同結合部を一部断面にして示す拡大平面図である。
【図６】同結合部を一部断面にして示す拡大側面図である。
【図７】上記柱と梁との間に張られたワイヤの柱への連結部を拡大して示す正面図である。
【図８】同連結部の分解正面図である。
【図９】同駐車場の骨組が地震の際に変形する様子を示す概略正面図である。
【図１０】本発明の第２実施例をなす建造物の内部の結合部を概略的に示す斜視図である。
【図１１】同結合部を一部断面にして示す正面図である。
【図１２】同第２実施例をなす駐車場の側壁部の結合部を概略的に示す斜視図である。
【図１３】同第２実施例をなす駐車場の角部の結合部を概略的に示す斜視図である。
【図１４】同第２実施例をなす駐車場の２階天井部の結合部を概略的に示す斜視図である。
【図１５】同第２実施例をなす駐車場の２階天井の側縁部の結合部を概略的に示す斜視図である。
【図１６】同第２実施例をなす駐車場の２階天井の角部の結合部を概略的に示す斜視図である。
【図１７】本発明の第３実施例をなす駐車場骨組の概略構成を示す正面図である。
【図１８】図１７のＡ部におけるワイヤ支持構造の拡大正面図である。
【発明を実施するための形態】
【実施例１】
【００１３】
以下、本発明の第１実施例に係わる２階建ての耐震駐車場１００（建造物）について、図１〜図９を参照しながら説明する。
図１〜図３は、駐車場１００の骨組を概略的に示す。図２（Ａ）に示すように、駐車場１００に覆われた地面が最下層の駐車部１０１として提供され、２階床部分（１階天井部分）が中間層の駐車部１０２として提供され、２階天井部分が最上層の駐車部１０３として提供される。図２（Ｂ）に示すように、駐車場１００の一側部には、地面から駐車部１０２へと車を導くための傾斜部１０４が構築され、中間層の駐車部１０２の一側部にも、駐車部１０２から駐車部１０３へと車を導くための傾斜部１０５が構築されている。
【００１４】
以下、駐車場１００の骨組の詳細な構造について説明するが、理解を助けるために、図において互いに直交する水平２軸をＸ，Ｙで示し、垂直方向をＺで示す。
駐車場１００の骨組は鉄骨の構成材を結合して組み立てることにより構成されており、傾斜部１０４，１０５を除く主要部が直方体形状をなしている。
【００１５】
上記駐車場１００の主要部の骨組は、構成材として、１階の多数の垂直をなす柱１と、これら柱１と同一垂直線上に配置された２階の多数の柱２と、Ｙ軸方向に延びる多数の梁３と、Ｘ軸方向に延びる多数の梁４とを備えている。
上記柱１の下端部は地面に埋設されたコンクリート基礎５に固定されている。
【００１６】
次に、上記骨組の内部における結合部の構造について、図４〜図６を参照しながら説明する。この結合部において、１階の柱１と、２階の柱２と、Ｙ軸方向に延びる２本の梁３と、Ｘ軸方向に延びる２本の梁４の、合計６本の鉄骨が結合される。この結合部は、第１〜第３の３種の多重摩擦板装置１０，２０，３０を備え、柱１，２および梁３，４を半剛結合状態で結合する。本明細書で「半剛結合」とは、平常時には剛結合として機能し、地震の際に所定レベル以上のトルクが付与された時に、ピン結合として機能することを言う。
【００１７】
上記第１多重摩擦板装置１０は結合対象となる２つの構成材をＸ軸を中心として相対回動可能に半剛結合するためのものであり、上記第２多重摩擦板装置２０は結合対象となる２つの構成材をＹ軸を中心として相対回動可能に半剛結合するためのものであり、上記第３多重摩擦板装置３０は結合対象となる２つの構成材をＺ軸を中心として相対回動可能に半剛結合するためのものである。
【００１８】
本実施例では、上記第１多重摩擦板装置１０は、柱１，２、梁３，４の延長線の交差点に１個のみ配置されている。この第１多重摩擦板装置１０は、柱１と柱２とをＸ軸周りの相対回動を可能に半剛結合すべき第１多重摩擦板装置と、柱１とＹ軸方向に延びる２本の梁３をＸ軸周りの相対回動を可能に半剛結合すべき２つの第１多重摩擦板装置とを兼用している。
【００１９】
上記第１多重摩擦板装置１０は、柱１側に連結された摩擦板１１と、柱２側に連結された摩擦板１２と、２本の梁３側にそれぞれ連結された摩擦板１３，１４と、これら摩擦板１１〜１４を順に繰り返し重ね合わせた状態でその両側を押さえる一対の押さえ板１５と、これら摩擦板１１〜１４および押さえ板１５をＸ軸方向に貫通するピン１６と、ピン１６の両端部のネジ部に螺合されるナット１７（締め付け手段）とを有している。
上記ピン１６の両端のナット１７を締め付けることにより、摩擦板１１〜１４が強く圧接され、これにより強い摩擦力が生じる。
【００２０】
上記多数の摩擦板１１は支持板４１に固定され、この支持板４１および第２多重摩擦板装置２０を介して柱１の上端に連結されている。同様に、多数の摩擦板１２は、支持板４２に固定され、この支持板４２および第２多重摩擦板装置２０を介して柱２の下端に連結されている。
また、摩擦板１３、１４も、それぞれ支持板４３，４４に固定されており、これら支持板４３，４４および第３多重摩擦板装置３０、３０を介してＹ軸方向に延びる梁３、３に連結されている。
【００２１】
図４に最も良く示すように、上記第１多重摩擦板装置１０の一対の押さえ板１５には、それぞれブラケット４５を介して支持板４６が固定されており、この支持板４６とＸ軸方向に延びる梁４の端との間には、第２多重摩擦板装置２０と第３多重摩擦板装置３０が直列をなして連結されている。
【００２２】
上記説明から明らかなように、本実施例の結合部では、上記第２多重摩擦板装置２０が合計４個用いられ、上記第３多重摩擦板装置３０も合計４個用いられている。なお、柱１の上端と第１多重摩擦板装置１０との間の第２多重板装置２０は省いてもよい。
【００２３】
上記第２多重摩擦板装置２０は、第１多重摩擦板装置１０と同様に、交互に重ねられた第１多重摩擦板１０側の摩擦板２１および柱１、２やＸ軸方向に延びる梁３側の摩擦板２２と、これら摩擦板２１，２２を両側から押さえる押さえ板２５と、これら摩擦板２１，２２、押さえ板２５をＹ軸方向に貫通するピン２６と、ピン２６の両端部のネジ部に螺合されるナット２７（締め付け手段）とを有している。
【００２４】
なお、柱１，２側の各第２多重摩擦板装置２０において、一方の摩擦板２１は上述した支持板４１，４２に固定され、他方の摩擦板２２は、柱１，２に溶接された支持板１ａ，２ａにそれぞれ固定されている。
また、梁４側の各第２多重摩擦板装置２０において、一方の摩擦板２１は上記支持板４６に固定され、他方の摩擦板２２は支持板４７に固定されている。
【００２５】
上記第３多重摩擦板装置３０も同様に、交互に重ねられた第１多重摩擦板装置１０側（柱１側）の摩擦板３１および梁３，４側の摩擦板３２と、これら摩擦板３１，３２の集合体を両側から押さえる押さえ板３５と、これら摩擦板３１，３２、押さえ板３５をＺ方向（垂直方向）に貫通するピン３６と、ピン３６の両端部のネジ部に螺合されたナット３７（締め付け手段）とを有している。
【００２６】
なお、Ｙ軸方向に延びる梁３の第３多重摩擦板装置３０において、一方の摩擦板３１は上記支持板４３，４４に固定され、他方の摩擦板３２は梁３の端に溶接された支持板３ａに固定されている。
また、Ｘ軸方向に延びる梁４の第３多重摩擦板装置３０において、一方の摩擦板３１は上記支持板４７に固定され、他方の摩擦板３２は梁４の端に溶接された支持板４ａに固定されている。
【００２７】
上述したようにして、駐車場１００の骨組の内部に位置する結合部が構成されるが、他の箇所、例えば駐車場の側壁部の結合部、角部の結合部、２階天井部の結合部、２階天井の側縁部の結合部、２階天井の角部の結合部では、内部の結合部より柱、梁の構成材の本数が減じられる。その場合、減じられる構成材に対応する多重摩擦板装置２０，３０は不要である。
【００２８】
さらに、本実施例の駐車場１００の骨組では、図１〜図３に示すようにワイヤ６１，６２が用いられる。ワイヤ６１は、柱１，２と、梁３，４とを所定の引っ張り力で連結するものであり、これら柱１，２と梁３，４に対して４５°の角度をなして傾斜している。同様にワイヤ６２は、直交する梁３，４を所定の引っ張り力で連結するものであり、梁３，４に対して４５°の角度をなして傾斜している。
【００２９】
本実施例ではワイヤ６１，６２は撚線により形成されている。図７、図８を参照しながら、上記ワイヤ６１の一端部を柱１（または柱２）へ連結するための連結手段７０について説明する。柱１（または柱２）の側面に固定されたブラケット７１に、ベース金具７２がワイヤ６１と直交する水平な第１回転軸を中心に回転可能に連結されている。このベース金具７２にはソケット７３が、上記ワイヤ６１および第１回転軸と直交する第２回転軸を中心として、回転可能に連結されている。
【００３０】
図８に示すように上記ソケット７３は筒形状をなしており、回転支点の反対側に雄ねじ７３ａを有している。この雄ねじ７３ａに筒形状をなすロックナット７４が螺合されるようになっている。上記ソケット７３およびロックナット７４には、コレットキャップ７５が収容されている。
【００３１】
上記コレットキャップ７５は筒形状をなし、上記ソケット７３に挿入される第１挿入部７５ａと上記ロックナット７４に挿入される第２挿入部７５ｂとを有している。第２挿入部７５ｂはスリットにより複数に分割されるとともに外周にテーパ面を有している。
【００３２】
上記ワイヤ６１の端部をロックナット７４、コレットキャップ７５に挿通させ、ロックナット７４をソケット７３の雄ねじ７３ａに螺合させて締め付けると、コレットキャップ７５の第２挿入部７５ａが、その外周のテーパ面とロックナット７４の内周のテーパ面との協働により縮径して、ワイヤ６１の端部を締め付ける。さらにロックナット７４の螺合を進めると、コレットキャップ７５がソケット７３に向けて移動し、これにより、ワイヤ６１が引っ張り状態で柱１（又は柱２）に連結される。
なお、ワイヤ６１の他端部の梁３，４への連結構造およびワイヤ６２の両端部の梁３，４への連結構造も同様であるので、その説明を省略する。
【００３３】
上記構成をなす駐車場１００において、平常時には、第１多重摩擦板装置１０の摩擦板１１〜１４間の摩擦、第２多重摩擦板装置２０の摩擦板２１，２２間の摩擦、第３多重摩擦板装置３０の摩擦板３１，３２間の摩擦により、柱１，２、梁３，４からなる構成材間の相対的回動は阻止される。また、ワイヤ６１，６２も、上記構成材の相対的回動を阻止する役割の一部を担う。その結果、駐車場１００は正常状態を維持される。
【００３４】
地震が発生すると、駐車場１００が横揺れし、これに伴い構成材の各結合部も横移動する。この際、上記多重摩擦板装置１０〜３０に閾レベル以上のトルクが作用した時には、多重摩擦板装置１０〜３０のピン１６，２６，３６を中心として構成材間の相対回動が生じる。
【００３５】
Ｙ軸方向の横揺れが生じた時の第１多重摩擦板装置１０の作用を、図９を参照しながら説明する。地面から左方向の力を受けると、駐車場１００の１階の柱１は、その上端が下端に対して相対的に右方向に変位するように変形する。この際、第１多重摩擦板装置１０のピン１６を中心として梁３が柱１に対して相対的に回動し、柱１とその右側の梁３との間の角度が広がり、柱１とその左側の梁３との間の角度が狭まる。そのため、従来のラーメン構造のように柱１と梁３が剛結合されている場合に比べて、柱１、梁３に加わる曲げ荷重を軽減することができる。また、この相対回動に伴い、第１多重摩擦板装置１０の摩擦板１１〜１４間で摩擦熱が発生し、地震によるエネルギーを吸収ないしは緩和することができる。
上記とは逆に地面から右方向の力を受ける場合も同様である。
【００３６】
この横揺れの繰り返しの際、上階の柱２では、その下端が柱１に回動可能に連結され、その上端が梁３に相対回動可能に連結されているため、その柱１の上端の変位量を抑制することもできる。
【００３７】
上記ワイヤ６１は、その弾性的伸びにより、上記のような柱１，２に対する梁３の相対回動を許容しつつ抑制する。このワイヤ６１は、地震が収まった時に、柱１，２と梁３との間の角度を元に戻す役割も担う。
【００３８】
Ｘ軸方向の横揺れに対する第２多重摩擦板装置２０の役割も上記と同様であるので説明を省略する。また、Ｘ軸、Ｙ軸に対して傾斜する方向の横揺れに対しては、第１、第２多重摩擦板装置１０，２０が共に機能して、梁３，４の柱に対する相対回動が生じることは勿論である。
【００３９】
本実施例では、第３多重摩擦板装置３０も装備されているので、同一水平面上に位置する多数の結合部が同位相で横揺れしない場合でも、梁３，４が柱１，２に対して垂直なＺ軸を中心として相対回動し、ひいては梁３，４同士もＺ軸を中心として相対回動するため、梁３，４を水平面上で曲げるような大きな曲げ荷重が作用するのを回避できるとともに、地震のエネルギーを吸収、緩和することができる。この際、ワイヤ６２はワイヤ６１と同様の働きをする。
【００４０】
上記構成の駐車場１００では、不同沈下が生じた場合にも、上記多重摩擦板装置１０〜３０において摩擦板が相対回動し、ひいては構成材間に相対回動が生じることにより、不同沈下を吸収でき、構成材に大きな曲げ荷重が生じるのを回避することができる。なお、不同沈下後にワイヤ６１，６２の張力を調節するのが好ましい。
【実施例２】
【００４１】
次に、本発明の第２実施例について、図１０〜図１６を参照しながら説明する。第２実施例は、第１多重摩擦板装置１０を兼用せずに柱２、梁３，４毎に装備した点を除いて、第１実施例と同様である。以下、詳述する。
図１０、図１１は、図４〜図６と同様に、駐車場１００の骨組の内部における結合部を示す。柱１の上端には立方体形状のブロック８０が固定されており、このブロック８０は柱１の上端部（支持部）として提供される。
【００４２】
上記ブロック８０と２本のＹ軸方向に延びる梁３の端との間には、それぞれ第１多重摩擦板装置１０および第３多重摩擦板装置３０が介在されている。本実施例では第１多重摩擦板装置１０はブロック８０側に固定される摩擦板と第３摩擦板装置１０側に連結された摩擦板とを交互に重ね合わせることにより構成されている。
【００４３】
上記ブロック８０と２本のＹ軸方向に延びる梁３の端との間には、それぞれ第１多重摩擦板装置１０および第３多重摩擦板装置３０が介在されている。本実施例では第１多重摩擦板装置１０はブロック８０側に固定された摩擦板と第３摩擦板装置３０側の支持板８５に固定された摩擦板とを交互に重ね合わせることにより構成されている。
【００４４】
上記ブロック８０と２本のＸ軸方向に延びる梁４の端との間には、それぞれ第２多重摩擦板装置２０および第３多重摩擦板装置３０が介在されている。本実施例では第２多重摩擦板装置２０はブロック８０側に固定された摩擦板と第３摩擦板装置３０側の支持板８５に固定された摩擦板とを交互に重ね合わせることにより構成されている。
【００４５】
上記ブロック８０と柱２の下端との間には、それぞれ第１多重摩擦板装置１０および第２多重摩擦板装置２０が介在されている。本実施例では第１多重摩擦板装置１０はブロック８０側に固定された摩擦板と第２摩擦板装置２０側の支持板８５に固定された摩擦板とを交互に重ね合わせることにより構成されている。
【００４６】
上述したように、内部の結合部では、３つの第１多重摩擦板装置１０と３つの第２多重摩擦板装置２０と、４つの第３多重摩擦板装置３０が用いられている。
【００４７】
参考までに、第２実施例の駐車場における他の結合部についても図示する。図１２は駐車場の側壁部の結合部を示し、図１３は駐車場の角部の結合部を示し、図１４は駐車場の２階天井部の結合部を示し、図１５は駐車場の２階天井の側縁部の結合部を示し、図１６は駐車場の２階天井の角部の結合部を示す。
【実施例３】
【００４８】
次に、本発明の第３実施例について図１７、図１８を参照しながら説明する。本実施例では、梁３より長いワイヤ６０が用いられる。ワイヤ６０の両端が第１実施例と同様にして柱１（または柱２）に連結され、ワイヤ６０の中央が梁３の中央に短柱９５を介して固定されている。梁３の端と中央との間は、梁３に支持されたローラ９０に掛けられている。上記ワイヤ６０の両端部６１が、柱１（または柱２）と梁３との間に斜めに掛けられたワイヤとして提供される。
【００４９】
上記ワイヤ６０は梁３を補強することができる。また、このワイヤ６０によれば、地震の際の弾性伸び量を増大させることもできる。
なお、さらに他の実施例として、ワイヤの両端を柱に連結し、その中央部を上記ローラ９０に掛け渡すことにより、柱と梁間に斜めに掛けられるワイヤを２重にしてもよい。
【００５０】
本発明は、上記実施例に制約されず、種々の態様を採用することができる。例えば、ワイヤは撚線でなく単線であってもよい。本明細書でワイヤとは引っ張り荷重を負担できるが圧縮荷重を負担しない材を意味する。
柱の下端が基礎に対してピン結合であってもよい。
上記結合対象となる構成材間の２種の多重摩擦板装置の順序は上記実施例と逆であってもよい。
上記実施例説明において、建造物に対するＸ，Ｙ軸は任意に選択可能である。
上記実施例では本発明を建造物の全ての結合部に適用したが、選択した結合部に適用し
てもよい。
本発明を１階建ての建造物に適用してもよい。
【産業上の利用可能性】
【００５１】
本発明は、耐震性を要求される駐車場その他のあらゆる建造物に適用することができる。
【符号の説明】
【００５２】
１、２  柱（構成材）
３，４  梁（構成材）
１０  第１の多重摩擦板装置
２０  第２の多重摩擦板装置
３０  第３の多重摩擦板装置
１１〜１４，２１，２２，３１，３２  摩擦板
１６，２６，３６  ピン
１７，２７，３７  ナット（締め付け手段）
６１，６２  ワイヤ
８０  ブロック（支持部）
１００  駐車場（建造物）
【図１】
2010222871.tif 000003
【図２】
2010222871.tif 000004
【図３】
2010222871.tif 000005
【図４】
2010222871.tif 000006
【図５】
2010222871.tif 000007
【図６】
2010222871.tif 000008
【図７】
2010222871.tif 000009
【図８】
2010222871.tif 000010
【図９】
2010222871.tif 000011
【図１０】
2010222871.tif 000012
【図１１】
2010222871.tif 000013
【図１２】
2010222871.tif 000014
【図１３】
2010222871.tif 000015
【図１４】
2010222871.tif 000016
【図１５】
2010222871.tif 000017
【図１６】
2010222871.tif 000018
【図１７】
2010222871.tif 000019
【図１８】
2010222871.tif 000020